(57)【要約】【課題】光伝送装置における光信号のレベル変動から高い精度で障害を検知することを可能にする技術を提供する。【解決手段】監視手段が、光信号のレベル変動を障害として検知するためのトリガ条件を任意に設定しておき、光信号のレベルを一定周期でモニタし、モニタ結果である光信号のレベルを示すモニタ情報を順次蓄積し、モニタ情報が示す光信号のレベルの変動がトリガ条件を満たすと、そのことを障害として検知する。【選択図】図３
2012015736.tif 000002
【特許請求の範囲】
【請求項１】
光信号によって通信を行う光伝送装置の障害を検知する障害検知装置であって、
前記光信号を、該光信号のレベルを示す電気信号に変換する変換手段と、
光信号のレベル変動を障害として検知するためのトリガ条件を任意に設定しておき、前記変換手段で得られた前記電気信号を一定周期でモニタし、モニタ結果である前記光信号のレベルを示すモニタ情報を順次蓄積し、該モニタ情報が示す前記光信号のレベルの変動が前記トリガ条件を満たすと、そのことを障害として検知する監視手段と、を有する障害検知装置。
【請求項２】
前記監視手段は前記障害を検知するとネットワーク管理装置に警報信号を送信する、請求項１に記載の障害検知装置。
【請求項３】
前記監視手段には、前記障害を検知したときに、任意に設定することができる報告期間に蓄積された前記モニタ情報を前記ネットワーク管理装置に送信するか否かを任意に設定することができる、請求項２に記載の障害検知装置。
【請求項４】
前記監視手段は、前記ネットワーク管理装置から要求があると、該要求で指定された時間内にモニタされたモニタ情報を該ネットワーク管理装置に送信する、請求項２または３に記載の障害検知装置。
【請求項５】
前記トリガ条件は光信号のレベルの変化時間と変化量とによって定まる、請求項１から４のいずれか一項に記載の障害検知装置。
【請求項６】
前記監視手段が、前記光信号を増幅する増幅部に含まれている、請求項１からのいずれか一項に記載の障害検知装置。
【請求項７】
前記監視手段は、障害の検知をマスクすべきことが予め指示された場合には、前記トリガ条件が満たされても障害を検知しない、請求項１から６のいずれか一項に記載の障害検知装置。
【請求項８】
前記監視手段は、所定の保持期間が経過したモニタ情報を順次廃棄する、請求項１から７のいずれか一項に記載の障害検知装置。
【請求項９】
伝送路を介して光信号を送信あるいは受信する光増幅器と、
光信号のレベル変動を障害として検知するためのトリガ条件を任意に設定しておき、前記光増幅器が送信あるいは受信する前記光信号を、該光信号のレベルを示す電気信号に変換して該電気信号を一定周期でモニタし、モニタ結果である前記光信号のレベルを示すモニタ情報を順次蓄積し、該モニタ情報が示す前記光信号のレベルの変動が前記トリガ条件を満たすと、そのことを障害として検知する障害検知手段と、を有する光伝送装置。
【請求項１０】
光信号のレベル変動を障害として検知するためのトリガ条件を任意に設定し、
光伝送装置における前記光信号のレベルを一定周期でモニタし、モニタ結果である前記光信号のレベルを示すモニタ情報を順次蓄積し、
該モニタ情報が示す前記光信号のレベルの変動が前記トリガ条件を満たすと、そのことを障害として検知する、障害検知方法。
【発明の詳細な説明】
【技術分野】
【０００１】
本発明は、光伝送路を介して光信号を送受信する光伝送装置に関し、特に、その光レベルの監視機能に関する。
【背景技術】
【０００２】
光伝送路を介して光信号を送受信する一般的な光伝送装置は増幅機能と分離挿入（Ａｄｄ／Ｄｒｏｐ）機能を有する。例えば、光伝送装置は、他の光伝送装置から受信した光信号から所定の信号を取り出し、またその光信号に所定の信号を付加すると共に、その光信号を増幅して他の光伝送装置に送信する。
【０００３】
また、一般に光伝送装置は、他の光伝送装置から受信した光信号や自装置で増幅した光信号のレベルを定周期でモニタする監視機能を備えている。モニタされた光信号のレベルの情報は蓄積され、光伝送装置およびシステム全体の保守や管理などに利用される。一般的には光信号のレベルをモニタする周期は１秒以上である。
【０００４】
特許文献１には、光信号のレベル変動を検出し、そのレベル変動の情報を一定間隔で記憶すると共に、所定の期間を過ぎたレベル変動の情報を順次廃棄する技術が開示されている。特許文献１では、更に、特定の光信号のレベル変動が記憶されたときには監視信号が転送される。
【先行技術文献】
【特許文献】
【０００５】
【特許文献１】特開２００５−３１８５６７号公報
【発明の概要】
【発明が解決しようとする課題】
【０００６】
上述したような光伝送装置の監視機能では障害による信号劣化を検出するのが困難な場合があった。その一つの要因として、波長多重された光信号を伝送するような光伝送装置においては異常時のレベル変動をアラームとして定義するのが難しいということが挙げられる。
【０００７】
波長多重の光伝送装置は、システムや装置を運用する上で行われる通常時の操作によっても光信号のレベルが変動することが多い。また、伝送路の損失は、光ファイバが持っている偏波モード分散や温度変化によるロスの季節変動など多くの要因で変動する。また運用上の操作によるレベル変動、季節変化によるレベル変動、異常時のレベル変動は、システム内でも伝送路や装置の周囲の環境などによって光伝送装置毎に異なる値を示す場合もある。
【０００８】
そのため、季節変化などの環境要因や運用上の操作によるレベル変動が、予め定められた異常時のレベル変動を検出するための閾値を超えてしまい、実際には障害が発生したわけではないのにアラームが頻発してしまう可能性があった。また、実際に障害が発生したにも関わらず、アラームが発せられない可能性もあった。
【０００９】
本発明の目的は、光伝送装置における光信号のレベル変動から高い精度で障害を検知することを可能にする技術を提供することである。
【課題を解決するための手段】
【００１０】
上記目的を達成するために、本発明の光伝送装置は、光信号によって通信を行う光伝送装置の障害を検知する障害検知装置であって、
前記光信号を、該光信号のレベルを示す電気信号に変換する変換手段と、
光信号のレベル変動を障害として検知するためのトリガ条件を任意に設定しておき、前記変換手段で得られた前記電気信号を一定周期でモニタし、モニタ結果である前記光信号のレベルを示すモニタ情報を順次蓄積し、該モニタ情報が示す前記光信号のレベルの変動が前記トリガ条件を満たすと、そのことを障害として検知する監視手段と、を有している。
【００１１】
本発明の光伝送装置は、
伝送路を介して光信号を送信あるいは受信する光増幅器と、
光信号のレベル変動を障害として検知するためのトリガ条件を任意に設定しておき、前記光増幅器が送信あるいは受信する前記光信号を、該光信号のレベルを示す電気信号に変換して該電気信号を一定周期でモニタし、モニタ結果である前記光信号のレベルを示すモニタ情報を順次蓄積し、該モニタ情報が示す前記光信号のレベルの変動が前記トリガ条件を満たすと、そのことを障害として検知する障害検知手段と、を有している。
【００１２】
本発明の障害検知方法は、
光信号のレベル変動を障害として検知するためのトリガ条件を任意に設定し、
光伝送装置における前記光信号のレベルを一定周期でモニタし、モニタ結果である前記光信号のレベルを示すモニタ情報を順次蓄積し、
該モニタ情報が示す前記光信号のレベルの変動が前記トリガ条件を満たすと、そのことを障害として検知するものである。
【発明の効果】
【００１３】
本発明によれば、光伝送装置における光信号のレベル変動から高い精度で障害を検知することが可能である。
【図面の簡単な説明】
【００１４】
【図１】本実施形態による光伝送システムの構成を示すブロック図である。
【図２】本実施形態の光伝送装置１１の構成を示すブロック図である。
【図３】本実施形態の光増幅部２１の構成を示すブロック図である。
【図４】本実施形態の光増幅部２１の動作を表す状態遷移図である。
【図５】本実施形態において設定されるトリガ条件について説明するための図である。
【図６】本実施形態の変形例における光伝送装置１１の構成を示すブロック図である。
【発明を実施するための形態】
【００１５】
本発明を実施するための形態について図面を参照して詳細に説明する。
【００１６】
図１は、本実施形態による光伝送システムの構成を示すブロック図である。図１を参照すると、光伝送システムは、光ファイバの伝送路１０で相互に接続された複数の光伝送装置１１と、光伝送装置１１に接続されたネットワークマネジメントシステム１２とを有している。図１に示した本実施形態の例では、ネットワークマネジメントシステム１２は、ある一つの光伝送装置１１を介して全ての光伝送装置１１と通信できるように接続されている。
【００１７】
ここでは光伝送装置１１はＯＡＤＭ（Ｏｐｔｉｃａｌ  Ａｄｄ−Ｄｒｏｐ  Ｍｕｌｔｉｐｌｅｘｅｒ）局装置であるものとし、他の光伝送装置１１から受信した光信号から所定の信号を分離し、その光信号に所定の信号を挿入すると共に、その光信号を増幅して他の光伝送装置１１に送信する。
【００１８】
また、光伝送装置１１は、他の光伝送装置１１からの光信号や自装置で増幅した光信号のレベルを一定周期でモニタし、モニタ結果から障害を検知すると警報信号をネットワークマネジメントシステム１２に送信する。ここでは主信号に影響を与えるようなレベル変動があったことを障害として扱う。
【００１９】
障害検知のため、光伝送装置１１にはレベル変動を障害として検知するためのトリガ条件が設定されている。そして各光伝送装置１１のトリガ条件は、光信号のレベルの変化時間と変化量とによって定まる条件であり、一定時間内に一定以上のレベル変動があった場合にトリガ条件が満たされる。このトリガ条件は、パラメータとして、ネットワークマネジメントシステム１２からオペレータが任意に装置毎に設定したり変更したりすることができる。
【００２０】
また、光伝送装置１１は、ネットワークマネジメントシステム１２に警報信号を送信するときに、それと併せて障害時のモニタ情報もネットワークマネジメントシステム１２に通知するか否かをオペレータによる設定で選択することができる。
【００２１】
また、光伝送装置１１は、ネットワークマネジメントシステム１２から、取得した時間を指定したモニタ情報の要求を受けると、その要求で指定された時間にモニタされたモニタ情報をネットワークマネジメントシステム１２に送信する。
【００２２】
以上説明したように、本実施形態によれば、光信号のレベル変動を障害として検知するためのトリガ条件をオペレータにより任意に設定できるので、環境要因や運用上の操作によるレベル変動が個々の装置で異なっていても、光信号のレベル変動から障害を高い精度で検知することができる。その結果、伝送路１０の異常などによって信号にエラーが生じるような状況において障害箇所を的確に検出したり、伝送路でどのような事象が発生したかを詳細に調査したりできるようになる。
【００２３】
図２は、本実施形態の光伝送装置１１の構成を示すブロック図である。図２を参照すると、光伝送装置１１は、光増幅部２１、２２、ＯＡＤＭ部２３、送受信器２４、２５、および装置監視制御部２６を有している。
【００２４】
光増幅部２１は、他の光伝送装置１１から伝送路１０を介して受信された光信号を増幅器（不図示）で一括増幅してＯＡＤＭ部２３に送る。その際、光増幅部２１は、増幅器に入力される光信号のレベルを一定周期でモニタし、生成したモニタ情報を順次記憶する。そして、光増幅部２１は、生成したモニタ情報がトリガ条件を満たすと、そのことを障害として検知し、障害通知を装置監視制御部２６に通知する。
【００２５】
光増幅部２１が光信号のレベルをモニタする周期（モニタ周期）は、オペレータがネットワークマネジメントシステム１２から光伝送装置１１の光増幅部２１に設定することができる。具体的には、モニタ周期をμｓｅｃ単位で設定することができ、最小で１μｓｅｃのモニタ周期を設定できるものとする。光増幅部２１は、モニタによって得た光信号のレベルを示すモニタ情報を不図示のメモリに順次蓄積する。
【００２６】
更に、光増幅部２１のメモリ容量には限界があり、またμｓｅｃ単位で頻繁にモニタ情報が追加されるので、光増幅部２１は、メモリに蓄積されているモニタ情報を一定の保持期間が過ぎたら廃棄する。この保持期間も、パラメータとして、オペレータがネットワークマネジメントシステム１２から光伝送装置１１の光増幅部２１に設定することができる。
【００２７】
また、光増幅部２１は、障害を検知したときに、障害発生の通知と共に、記憶しているモニタ情報を装置監視制御部２６に送信するか否かをオペレータが設定することができる。そして、光増幅部２１は、その設定に従ってモニタ情報を装置監視制御部２６に送信するか否かを決める。モニタ情報を送信するように設定されていれば、光増幅部２１は、障害が検知された時点の前後の一定の報告期間の分のモニタ情報を装置監視制御部２６に送信する。この報告期間も、パラメータとして、オペレータがネットワークマネジメントシステム１２から任意に設定することができる。ただし、上記保持期間が報告期間以上となるように設定される。例えば保持期間が１．５分間で報告期間が１分間というように設定される。
【００２８】
モニタ情報を送信するように設定しておけば、障害時のモニタ情報が自動的に通知されるので、障害状況の把握や原因の調査が容易になる。またモニタ情報を送信しないように設定しておけば、光伝送装置１１内、および光伝送装置１１とネットワークマネジメントシステム１２の間で、膨大なデータが転送されて回線資源や処理資源が消費されるのを防ぐことができる。
【００２９】
また、光増幅部２１は、ネットワークマネジメントシステム１２から装置監視制御部２６を介して要求があると、その要求で指定された時間にモニタされたモニタ情報をネットワークマネジメントシステム１２に送信する機能も備えている。これによりオペレータは任意のタイミングで任意のモニタ情報を遠隔から取得することができる。
【００３０】
更に、光増幅部２１には、ネットワークマネジメントシステム１２から装置監視制御部２６を介して障害通知のマスクを指示することができる。障害検知をマスクすべきことが指示された場合、光増幅部２１は、得られたモニタ情報がトリガ条件を満たしても障害を検知しない。オペレータは、システムや装置を運用するための操作を行う前に、障害通知をマスクすべきことを指示しておくとよい。例えば、上流局の運用において使用される波長の数が変動する場合や、上流局において光信号の送信パワーを調整する場合などにマスク要求を行うことが考えられる。
【００３１】
ＯＡＤＭ部２３は、光信号から任意の波長の信号を分離したり、任意の波長の信号を光信号に多重したりする機能を有しており、光増幅部２１からの光信号から所定の信号を分離して送受信器２４、２５に送り、また送受信器２４、２５からの信号を光増幅部２１からの光信号に挿入して光増幅部２２に送る。
【００３２】
送受信器２４、２５は、ＯＡＤＭ部２３で分離あるいは挿入される信号を送信あるいは受信する。
【００３３】
光増幅部２２は、基本的には光増幅部２１と同様の機能を備えており、ＯＡＤＭ部２３からの光信号を増幅器（不図示）で一括増幅して伝送路１０を介して他の光伝送装置１１に送る。その際、光増幅部２２は、増幅器に入力される光信号あるいは増幅器から出力される光信号のレベルを一定周期でモニタし、生成したモニタ情報を順次記憶する。そして、光増幅部２２は、生成したモニタ情報がトリガ条件を満たすと、そのことを障害として検知し、障害通知を装置監視制御部２６に通知する。
【００３４】
また、ＯＡＤＭ部２３、送受信器２４、２５はそれぞれの内部状態をモニタし、装置監視制御部２６に通知する。また、光増幅部２１、２２は光信号のレベルの異常以外に内部状態もモニタし、装置監視制御部２６に通知する。
【００３５】
装置監視制御部２６は、光伝送装置１１の各部から各部の状態の通知を受け、監視信号や警報信号を必要に応じてネットワークマネジメントシステム１２に送信する。例えば、装置監視制御部２６は、光増幅部２１、２２から障害を通知されると、その障害通知に基づく警報信号をネットワークマネジメントシステム１２に送信する。
【００３６】
また、装置監視制御部２６は、ネットワークマネジメントシステム１２からの指示に従って各部に各種の設定や制御を行う。
【００３７】
図３は、本実施形態の光増幅部２１の構成を示すブロック図である。図３を参照すると、光分岐部３１、光増幅器３２、光合波部３３、光パワーＯ／Ｅ変換部３４、および光増幅器監視制御部３５を有している。
【００３８】
光分岐部３１は、伝送路１０から受信した光信号を二分岐し、それぞれを光増幅器３２と光パワーＯ／Ｅ変換部３４に送る。
【００３９】
光パワーＯ／Ｅ変換部３４は、内部に備えたフォトディテクターにより、光分岐部３１からの光信号を電気信号に変換し、光信号のパワーレベルを示すパワーレベル信号として光増幅器監視制御部３５に送る。また光パワーＯ／Ｅ変換部３４は所定の光信号を光合波部３３に送る機能を有する。
【００４０】
光増幅器３２は、光分岐部３１からの光信号を増幅して光合波部３３に送る。
【００４１】
光合波部３３は、光増幅器３２からの光信号と光パワーＯ／Ｅ変換部３４からの光信号とを合波してＯＡＤＭ部２３に送る。
【００４２】
光増幅器監視制御部３５は、光増幅部２１内の各部から光伝送装置１１の各部から各部の状態の通知を受け、必要に応じて、その通知を装置監視制御部２６に伝達する。また、光増幅器監視制御部３５は、装置監視制御部２６からの指示に応じて、あるいは自発的に光増幅部２１内の各部に対する設定や制御を行う。
【００４３】
特に、光増幅器監視制御部３５は、光信号のレベルを監視する監視手段であり、トリガ条件の値を保持しており、光パワーＯ／Ｅ変換部３４からのパワーレベル信号の示す光信号のパワーレベルの情報（モニタ情報）を順次蓄積すると共にパワーレベルの変動がトリガ条件を満たすか否か判定する。トリガ条件が満たされると、光増幅器監視制御部３５は、そのことを障害として検知し、障害通知を装置監視制御部２６に通知する。このように光パワーＯ／Ｅ変換部３４と光増幅器監視制御部３５とで光信号のレベル変動から障害を検知する障害検知手段として機能する。
【００４４】
また、光増幅器監視制御部３５は、障害を検知したときに、障害発生の通知と共に、記憶しているモニタ情報を装置監視制御部２６に送信するか否かをオペレータが設定することができる。光増幅器監視制御部３５は、その設定に従ってモニタ情報を装置監視制御部２６に送信するか否かを決める。
【００４５】
図４は、本実施形態の光増幅部２１の動作を表す状態遷移図である。図４を参照して光増幅部２１の動作について説明する。
【００４６】
電源が切れた初期状態（Ａ１）から電源が投入されると光増幅部２１は動作を開始し、変動モニタＯＦＦの状態（Ａ２）に移行する。しかし、Ａ２の状態では光増幅部２１は光信号のレベルをモニタする機能を動作させていない。
【００４７】
光増幅部２１は、更に装置監視制御部２６から変動モニタをオンに設定する指示を受けると、光信号のレベルのモニタを開始して、変動モニタＯＮの状態（Ａ３）に移行する。この状態になると、光増幅部２１はモニタ周期で光信号のレベルをモニタし、モニタ結果を順次蓄積していく。
【００４８】
なお、Ａ３の状態で装置監視制御部２６から変動モニタをオフに設定する指示を受けると、光増幅部２１はＡ２の状態に戻る。また、Ａ３の状態で装置監視制御部２６からモニタをマスクすることを要求された場合にも光増幅部２１はＡ２の状態に戻る。
【００４９】
また、光増幅部２１は、得られたモニタ情報に基づいてレベル変動がトリガ条件を満たすか否か判定しており、トリガ条件が満たされると、報告の状態（Ａ４）に移行して障害が検出されたことを装置監視制御部２６に通知する。また、ここでは、障害検知と共にモニタ情報も通知するように設定されているものとし、光増幅部２１は、蓄積しておいた報告期間分のモニタ情報も装置監視制御部２６に送信する。報告が終わると光増幅部２１はＡ３の状態に戻る。
【００５０】
図５は、本実施形態において設定されるトリガ条件について説明するための図である。
【００５１】
トリガ条件の設定は、図５に示すように光信号の変動レベルＹと変動時間Ｘによって定義される。変動時間Ｘに変動レベルＹという割合を超える光信号のレベル変化があれば、そのレベル変動はトリガ条件を満たすので障害として検知される。トリガ条件を満たすようなレベル変動があると、光増幅部２１は障害を検知した旨を装置監視制御部２６に報告する。
【００５２】
また例えばｘμｓｅｃの間に光信号レベルがｙｄＢｍだけ変動したとする。そして、そのｘとｙが“Ｙ＞ｙ  ＡＮＤ  Ｘ＜ｘ”という程度のレベル変動であれば、光増幅部２１は障害を検知せず、装置監視制御部２６に障害を検知した旨の報告を送ることは無い。また、装置監視制御部２６から予めマスク要求を受けた場合も光増幅部２１は障害を検知した旨を装置監視制御部２６に送らない。
【００５３】
以上説明したように、本実施形態では、光増幅部２１にμｓｅｃ単位のような高い頻度で光信号のレベルをモニタするので、信号劣化の要因となる伝送路のロス変動を確実にモニタできる。
【００５４】
また、高い頻度で得られるモニタ情報に基づく判定においてトリガ条件を満たすレベル変動があった場合のみ、ネットワークマネジメントシステム１２に障害が検知された旨を報告するので、モニタ結果を通知するために通信や処理のリソースが大量に消費されることが無い。
【００５５】
また、運用上の通常の操作として光信号のレベルが変動するような操作を行う場合に光伝送装置１１にマスクを要求しておくことにより、運用上の通常の操作を障害として検知するのを防止でき、障害時のような本来検知すべき予期せぬ光信号のレベル変動だけを確実にモニタすることができる。
【００５６】
これまで本発明の一実施形態について説明したが、本発明はその構成および動作に限定されるものではなく、一部の構成や動作を変形した様々な実施形態が可能である。以下、本実施形態の一変形例について説明する。
【００５７】
図６は、本実施形態の変形例における光伝送装置１１の構成を示すブロック図である。図６の光伝送装置１１は、光増幅部６３、６４、ＯＡＤＭ部２３、送受信器２４、２５、装置監視制御部２６、光分岐部６１、６２、および光レベルモニタ機能部６５を有している。本変形例の光伝送装置１１は、光信号のレベルをモニタする光レベルモニタ機能部６５が光増幅部６３、６４とは別に備えられ、その光レベルモニタ機能部６５が、光分岐部６１、６２で分岐された光信号のレベルをモニタする点で、図２に示したものとは異なる。
【００５８】
光分岐部６１は伝送路１０からの光信号を二分岐し、それぞれを光増幅部６３と光レベルモニタ機能部６５に送る。また、光分岐部６２は光増幅部６４からの光信号を二分岐し、それぞれを伝送路１０と光レベルモニタ機能部６５に送る。
【００５９】
光レベルモニタ機能部６５は、図３に示した光パワーＯ／Ｅ変換部３４と光増幅器監視制御部３５に相当する機能を備えており、光分岐部６１からの光信号のレベルと光分岐部６２からの光信号のレベルを一定のモニタ周期の時間間隔でモニタし、モニタ結果である光信号のレベルを示すモニタ情報を記憶する。モニタ周期は、パラメータとして、オペレータがネットワークマネジメントシステム１２から光伝送装置１１の光レベルモニタ機能部６５に設定することができる。具体的には、モニタ周期をμｓｅｃ単位で設定することができ、最小で１μｓｅｃのモニタ周期を設定できるものとする。
【００６０】
また、光レベルモニタ機能部６５は、順次記憶したモニタ情報を一定の保持期間が過ぎたら順次廃棄する。この保持期間も、オペレータがネットワークマネジメントシステム１２から光伝送装置１１の光増幅部２１に設定することができる。
【００６１】
また、光レベルモニタ機能部６５は、トリガ条件の値を保持しており、モニタで得た光信号のパワーレベルの変動がトリガ条件を満たすか否か判定する。トリガ条件が満たされると、光レベルモニタ機能部６５は、そのことを障害として検知し、障害通知を装置監視制御部２６に通知する。
【００６２】
また、光レベルモニタ機能部６５は、障害を検知したときに、障害発生の通知と共に、記憶しているモニタ情報を装置監視制御部２６に送信するか否かをオペレータが設定することができる。光レベルモニタ機能部６５は、その設定に従ってモニタ情報を装置監視制御部２６に送信するか否かを決める。
【００６３】
また、光レベルモニタ機能部６５は、波長毎に光信号のレベルをモニタするものであってもよい。その場合、光レベルモニタ機能部６５は波長毎の光信号のレベルをモニタし、波長毎のモニタ情報を装置監視制御部２６に報告することとなる。そして、光レベルモニタ機能部６５は、波長毎の光信号のパワーレベルの変動がトリガ条件を満たすか否か判定し、トリガ条件が満たされると、そのことを障害として検知して障害通知を装置監視制御部２６に通知することになる。
【００６４】
更に他の変形例として、光レベルモニタ機能部６５の機能を送受信器２４、２５の中で実現する形態を採用してもよい。その場合、送受信器２４、２５は、信号を受信する部分で光信号のレベルをモニタし、モニタした光信号のレベルの変動がトリガ条件を満たしたらそれを障害として検知して装置監視制御部２６に通知すればよい。
【００６５】
以上、本発明の実施形態およびその変形例について述べてきたが、本発明は、これらだけに限定されるものではなく、本発明の技術思想の範囲内において、これらの形態を組み合わせて使用したり、一部の構成を変更したりしてもよい。
【符号の説明】
【００６６】
１０  伝送路
１１  光伝送装置
１２  ネットワークマネジメントシステム
２１、２２、６３、６４  光増幅部
２３  ＯＡＤＭ部
２４、２５  送受信器
２６  装置監視制御部
３１、６１、６２  光分岐部
３２  光増幅器
３３  光合波部
３４  光パワーＯ／Ｅ変換部
３５  光増幅器監視制御部
６５  光レベルモニタ機能部
【図１】
2012015736.tif 000003
【図２】
2012015736.tif 000004
【図３】
2012015736.tif 000005
【図４】
2012015736.tif 000006
【図５】
2012015736.tif 000007
【図６】
2012015736.tif 000008